(57)【要約】【課題】  投げ釣りでは重りのついた仕掛けを長い投げ竿で遠投する。そのために相当な体力が必要である。従って力の弱い子供や老人、下半身が不自由な人達には全く手が出せない。大きい力を使わずに釣りの仕掛けを遠投する手段を提供するのが課題である。【解決手段】  ゴム板などの弾性体に、そのまま手で引くか、または、ラックとピニオンなどとハンドルの組合せにより、小さい力で仕掛けを遠投する距離に必要なエネルギーを蓄え、そのエネルギーで釣りの仕掛けを安定した姿勢で遠投するための姿勢安定機構を持ち、永久磁石の吸着作用などを利用して、遠投の際に釣針が釣り人本人と周囲の人達に及ぼす可能性のある危険を防止する機構を有する釣り仕掛けの遠投装置を提供する。【選択図】図１
2011229512.tif 000002
【特許請求の範囲】
【請求項１】
ゴム紐やゴム板、ゴムチューブ、または弓と弦、あるいはコイルスプリングなどの弾性体に、その弾性体をそのまま手で引いて、または、紐やテープと小径のスプール、ラックと小径のピニオン、あるいは、板状に展開した雌ねじと小径の雄ねじ、などと長いハンドルを組み合わせて、小さい力で、あるいは、モーターなどの電動力で、魚釣りの仕掛けを意図する距離まで遠投するために必要と考えられるエネルギー量を設定して蓄える機構、および、そのエネルギーを放出して安定した仰角と方向、そして距離に仕掛けを遠投するために、仕掛けを収容して放出する容器を円滑に直線運動させる姿勢安定機構を持つことを特徴とする釣り仕掛けの遠投装置
【請求項２】
請求項１において、永久磁石の吸着作用などを利用して、遠投の際に釣針が釣り人本人と周囲の人達に及ぼす可能性のある危険を防止する機構を有する釣り仕掛けの遠投装置
【請求項３】
請求項１において、弾性体に代えて、圧縮空気の膨張エネルギーを使用し、圧縮空気の圧力を加減する、あるいは、電磁コイルを使用し、電気エネルギーを加減することより、魚釣りの仕掛けを意図する距離まで遠投するために必要と考えられるエネルギー量を設定することを特徴とする釣り仕掛けの遠投装置
【発明の詳細な説明】
【技術分野】
【００１】  この発明は、磯や堤防など、海岸での釣りにおいて、投げ竿や遠投かごによる投げ釣りや遠投釣り、疑似餌釣りの際に、釣りの仕掛けを遠くに投げるための装置で、力の弱い子供や老人、または、下半身が不自由な人、このような人達が、弱い力で、釣りの仕掛けを希望する距離まで遠投することにより、釣り糸を巻きながら、または、ウキを見ながら、魚釣りを楽しむことを可能にするもので、混雑している釣り場でも安全な遠投釣りを実現させる。足場が悪い、または、背後に障害物のある釣り場などでの遠投や遠浅の海岸での遠投も可能にする。
【背景技術】
【００２】  投げ釣りでは、約７０〜１００グラムの重りのついて仕掛けを、２〜４ｍ程の投げ竿で、１００〜２００ｍ沖に投げ、そのままアタリを待つか、釣り糸を巻きながら魚を探るのが一般的である。遠投かごを使用する場合は、コマセと餌をつけた釣針を遠投かごに入れ、同様に沖に投げ、ウキにより回遊魚のアタリを知る。重いオモリを長い竿で遠投するために、相当な体力が必要である。従って、力の弱い子供や老人、下半身が不自由な人達には全く手が出せない。しかしながら、これらの釣りにはそれなりの喜びがあり、出来ればやってみたい人が多いのが実情である。
【発明が解決しようとする課題】
【００３】  釣りの仕掛けを遠く投げるには、それなりの重さのオモリと、それを飛ばすだけの強度と長さを持つ投げ竿が必要である。その投げ竿で仕掛けを遠投するにはこれまた、それなりの体力がなければならない。が、子供や老人、下半身の不自由な人には、それだけの体力は備わっていない。大きい力を使わずに、釣りの仕掛けを遠投する手段を提供するのが、最大の課題である。
【課題を解決するための手段】
【００４】  ゴム紐、ゴム板やゴムチューブ、弓と弦、コイルスプリングなどに蓄えられたエネルギー、圧縮空気が膨張するエネルギー、あるいはボイスコイルの様な電磁気エネルギーなどを利用して、重い仕掛けを遠投させれば、大きな力を使う必要がなくなる。火薬や酸水素の混合気体の燃焼などについては魚釣りには不可能と考えられ、圧縮空気に関しても、低コストの装置の提供が難しいと思われる。ここでは、弾性体に蓄えられたエネルギーを利用した手段について述べる。
【発明を実施するための形態】
【００５】  以下に、本発明の実施の形態についてゴム板を使用した例について説明する。図に示すように、一対または１枚のゴム板１のそれぞれの端を、円筒や角材などの基材の前方に設けた一対の支柱に固定し、ゴム板の中央に設けた投げ釣りのオモリや遠投かごを収容する容器２にラック３を直結しておく。ピニオン４をラック３と噛み合わせ、ハンドル５を廻してゴム板１を引き伸ばし、必要なエネルギーを蓄えた後に、ラックの歯に、図示していないが、逆転防止を兼ねた爪が噛み合う位置で止める。ピニオン４とその軸受を乗せた部材は、図示していないが、板バネで基材に押しつけ、掛け金で基材への固定を確実にしている。ピニオンとハンドルがなく、手の力だけの場合は、上記の設定した停止位置まで手動で容器２とラック３を引く。投げ釣りの場合の複数の釣針は、仕掛けを巻き上げてオモリを収容する際に、釣針の危険から身を護る釣針収納容器６の内面の多数の永久磁石７に吸着させる。餌をつけた釣針は、再度、釣針収納容器６に確実に収納する。遠投する際には、初めに、方向と仰角を決める。次いで、カムなどを利用して、ピニオンと軸受を乗せた部材の固定金具兼用の安全装置を外し、続いて、ピニオンを基材から浮かせ、ラックの噛み合わせを外す。そして最後に、引き金を引いてラックを止めている爪を外してオモリを放出する。容器２の不安定な姿勢を安定させるため、円滑に直線運動をするラックが姿勢安定板として作用する。こうしてオモリともに釣針は、収納容器の磁石の引力の限界を超えた時に、オモリに引かれて一緒に飛び出す。この時に釣り竿は、リールのベイルを外してリールをフリーにした状態で、前述の仰角に近くなる様に保持しておく。
【発明の効果】
【００６】  以上、ゴム板を手動またはピニオンとラック機構でエネルギーを蓄積する方式について記述したが、雄ネジと展開した雌ネジの組み合わせや、充電式ドライバーのように電動を利用する方式など、いくつかの方式が考えられる。投げ釣りの場合、複数の釣針が安全に収容されて、本人はもとより、釣りをしている周囲についても、投げ竿で投げることに比べれば格段の安全性が保証される。遠投角度とエネルギーの大きさから、遠投距離の関係をあらかじめ把握して置くことにより、意図する場所にピンポイントで仕掛けを投入することが出来る。子供はもちろん、体力の弱っているお年寄りでも、下半身の不自由な方でも、少ない力で仕掛けを遠投することが出来、より多くの人に釣りを楽しんでもらえる。更に、今まで遠投出来ないために釣り場に不向きだった海岸や砂浜でも、また、足場が悪く遠投に不向きだった釣り場でも、遠投が出来るために、釣り場を多くすることも出来る。比較的混雑している釣り場でも、背後に道路や崖などの障害物がある場合でも、頭上か左右いずれかしか開いていない場合でも、前方に遠投して仕掛けを巻き取るだけになるから、安全な投げ釣りができるようになる。更には、遠投で、竿を全く使わない、手釣りも可能になる。
【図面の簡単な説明】
【図１】  本発明による弾性体を利用した装置の概略概念図
【符号の説明】１・・・・ゴム板などの弾性体
２・・・・オモリを収容する容器
３・・・・ラック
４・・・・ピニオン
５・・・・ハンドル
６・・・・釣針収納容器
７・・・・釣針を吸着する永久磁石
【図１】
2011229512.tif 000003
【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
ゴム紐やゴム板、ゴムチューブ、または弓と弦、あるいはコイルスプリングなどの弾性体に、その弾性体をそのまま手で引いて、または、紐やテープと小径のスプール、ラックと小径のピニオン、あるいは、板状に展開した雌ねじと小径の雄ねじ、などと長いハンドルを組み合わせて、小さい力で、あるいは、モーターなどの電動力で、魚釣りの仕掛けを意図する距離まで遠投するために必要と考えられるエネルギー量を設定して蓄える機構、および、そのエネルギーを放出して安定した仰角と方向、そして距離に仕掛けを遠投するために、仕掛けを収容して放出する容器を円滑に直線運動させる姿勢安定機構を持つことを特徴とする釣り仕掛けの遠投装置
【請求項２】
請求項１において、永久磁石の吸着作用などを利用して、遠投の際に釣針が釣り人本人と周囲の人達に及ぼす可能性のある危険を防止する機構を有する釣り仕掛けの遠投装置
【請求項３】
請求項１において、弾性体に代えて、圧縮空気の膨張エネルギーを使用し、圧縮空気の圧力を加減する、あるいは、電磁コイルを使用し、電気エネルギーを加減することより、魚釣りの仕掛けを意図する距離まで遠投するために必要と考えられるエネルギー量を設定することを特徴とする釣り仕掛けの遠投装置
【請求項４】
請求項１における必要なエネルギーを蓄える機構と請求項２の釣針の危険を防止する機構を有する釣り仕掛けの遠投装置
【請求項５】
請求項１における必要なエネルギー量を設定する機構と姿勢安定機構のいずれかおよび、エネルギーを蓄える機構と請求項２の釣針の危険を防止する機構を有する釣り仕掛けの遠投装置